(57)【要約】履物内に入れられる中底本体と、この中底本体の後方部分に取り付けられて、この中底本体を備えた履物を履く人に負荷を掛ける負荷付与部分とを有する、使用時に履物内に配置される履物用中底が開示される。この発明の履物用中底を使用すると、履物の重さが増大されるので、サンド・バッグや鉛ジャケットを着用している場合と同様な効果が得られ、カロリー燃焼および運動効果が増大される。
2006513735.tif 000002
【特許請求の範囲】
【請求項１】
履物内に入れられる中底本体と、この中底本体の後方部分に装着されていて、この中底本体を備えた履物を履く使用者に負荷を与える負荷付与部分とを有する、使用時に履物内に入れられる履物用中底。
【請求項２】
前記負荷付与部分が、重量材料で成形されていて、前記中底本体の底に平行に中底本体に装着される挿入部材と、弾性材料で成形されていて、前記挿入部材を受け入れる受入部分とを有している、前記請求項１に記載の履物用中底。
【請求項３】
前記重量材料が、金属材、石材、レンガ、コンクリート、および、これらの組み合わせ材を含むグループから選ばれた材料である、前記請求項２に記載の履物用中底。
【請求項４】
前記挿入部材が少なくとも一個の円柱棒状部材である、請求項２に記載の履物用中底。
【請求項５】
前記挿入部材が、少なくとも一個のＵ−字形をした棒状部材からなる、前記請求項２に記載の履物用中底。
【請求項６】
前記挿入部材が、少なくとも一個の板状部材からなる、前記請求項２に記載の履物用中底。
【請求項７】
前記板状部材が、中心部分より肉厚の縁部分を有している、前記請求項６に記載の履物用中底。
【請求項８】
前記負荷付与部分が、中底本体に取り付け可能、または、取り外し可能であるように設計されている、前記請求項２に記載の履物用中底。
【請求項９】
前記負荷付与部分が、前記中底本体と一体に形成されている、前記請求項２に記載の履物用中底。
【請求項１０】
前記弾性材料が、合成樹脂ベースの材料、ゴム・ベースの材料、金属ベースの材料、または、これらの混合材料から成形され得るものであり、前記合成樹脂ベースの材料が、ポリカーボネート（ＰＣ）、ポリウレタン（ＰＵ）、ポリ塩化ビニール（ＰＶＣ）、ポリエチレン（ＰＥ）、アクリロニトリル・ブタジエン・スチレン（ＡＢＳ）、ナイロン、ＴＰＲ、アクリル、および、ＰＥＴＥを含むグループから選ばれるものであり、前記ゴム・ベースの材料は、天然ゴムおよび合成ゴムを含むグループから選ばれるものであり、そして、前記金属ベースの材料は、形状記憶合金、チタニウム、ばね鋼、黄銅、アルミニウム、および、これらの合金を含むグループから選ばれるものである、前記請求項２に記載の履物用中底。
【請求項１１】
中底の底下面に長手方向に形成された溝によって画定された少なくとも一つの長手方向空気通路と、中底本体の底下面に横方向に形成された溝によって画定されていて、前記長手方向空気通路と交差する少なくとも一つの横方向空気通路と、横方向および長手方向空気通路の交差部分を垂直に突き通して形成された少なくとも一つの垂直空気通路と、および、前記交差部分の前記垂直空気通路の回りに形成された空所とを有する中底本体の上面側に空気を排出する空気流通手段を更に有する、前記請求項１〜１０の何れかに記載の履物用中底。
【発明の詳細な説明】
【技術分野】
【０００１】
この発明は、履物内に入れられるように設計された履物用中底に関し、特には、履物の重さを増加させるための負荷付与部分を後方部分に備えている履物用中底に関する。
【背景技術】
【０００２】
運動効果を増大させるための負荷付与部材として、使用者の足首にサンド・バッグや鉛バッグを取り付けたり、あるいは、使用者が鉛のジャケットを着る等のことが知られている。このような負荷付与部材は、これらを着用する使用者に加えられる負荷を大きくして、カロリーの燃焼を増加させ、且つ、運動効果を改善させる。したがって、負荷付与部材は、短時間で運動効果を速やかに増大させるために、スポーツマンによって使用されている。
【０００３】
しかしながら、使用者は、負荷付与部材を特別に購入しなければならず、また、それを使用するための特別な場所と時間とを必要とする。使用者が負荷付与部材を日々の生活において着用することも可能であるが、こうすることは、運動選手でないがしかし通常の生活の間に改善された運動効果を得たいとする人にとっては、不体裁なことであろう。
【０００４】
したがって、使用者への負荷を増大させて通常の歩行中における運動効果を改善するとともに目立たない負荷付与手段が求められている。
【発明の開示】
【発明が解決しようとする課題】
【０００５】
この発明は、したがって、上記の従来技術の問題点を解決するためになされたもので、後方部分に負荷付与部材を備えていて、履物の重さを増大させる履物用中底を提供することを目的とする。
【０００６】
この発明の別の目的は、通常の歩行時に使用者に加えられる負荷を増加させて運動効果を改善しながら、しかし、目立たない履物用中底を提供することである。
【課題を解決するための手段】
【０００７】
この発明は、上記の目的を達成するために、履物内に入れられる中底本体と、および、この中底本体の後方部分に取り付けられて、この中底本体を備えた履物を履く使用者に負荷を加える負荷付与部分とを有する、使用時に履物に入れられる履物用中底を提供する。
【０００８】
ここで、負荷付与部分は、重量材料でなり、中底本体の底部に平行に中底本体内に装着される挿入部材と、および、この挿入部材を受け入れる弾性材料でなる挿入部材受け入れ部分とを有していて、中底本体に対して着脱可能に設計されている。
【発明を実施するための最良の形態】
【０００９】
以下に、添付図面に基きこの発明の詳細を説明するが、これらは代表的な例を説明するものであり、したがって、この発明の範囲内で種々の修正および変形が可能であることは当業者に明らかであろう。
【００１０】
図１は、この発明の第一実施例の履物用中底の斜視図であり、ここでは、金属棒部材を履物用中底内にその一部を挿入した状態を示し、また、図２は、この発明の第一実施例の履物用中底の側面図であり、ここでは、金属棒部材が取り除かれた状態を示している。図に示されているように、この発明の履物用中底１０は、その概略形状が従来の履物用中底の形状に実質的に同じ形状の中底本体１２を有する。即ち、履物用中底１０は、その先端部から後端部に向けて徐々に厚さが厚くなっている中底ベース１４と、中底ベース１４の端縁部から隆起された突出端部１６を有する。中底本体１２は、履物用中底に必要とされる弾性と柔軟性を有する材料で成形されている。
【００１１】
中底本体１２には、使用者のかかとが位置する後方部分に、円柱状の金属棒部材１８が挿入される穴Ｈが設けられている。図１は、各棒部材１８の約半分の部分が各穴Ｈに挿入された状態を示し、図２は、穴Ｈから棒部材１８が取り去られた状態を示す。この構造を実現するために、この発明の履物用中底１０の後方部分の厚さを従来の中底のそれよりも厚くしておいてもよい。
【００１２】
前記各穴１８の周囲に金属棒部材１８を取り外し可能に受け入れるための円筒状受け入れ部２０が形成されている。円筒状受け入れ部分２０は、金属棒部材１８の長さと同一またはそれより幾分長い長さを有している。図１および図２には、便宜上、受け入れ部分２０の一部を示すが、受け入れ部分２０は、好ましくは、中底本体１２を横方向に貫いて設けられる。受け入れ部分２０は、中底本体１２を横方向に貫いて形成され、金属棒部材１８がこの受け入れ部分２０の長さと実質的に同じ長さを有しているので、金属棒部材１８の受け入れ部分２０への挿入および受け入れ部分２０からの取り外しを容易にすることができる。即ち、金属棒部材１８は、単に押し込むことで、受け入れ部分２０に完全に挿入することができ、また、図１に示すようにその一部が受け入れ部分２０が露出するように金属棒１８の一方端を押し、金属棒１８の露出した部分を引っ張って、金属棒部材を受け入れ部分２０から完全に取り去ることができる。
【００１３】
受け入れ部分２０は、金属棒部材１８に加わる衝撃を吸収することができる弾性材料で形成されていて、金属棒部材１８を有する履物用中底１０を備えた履物を履いた使用者に滑らかな感触を与えるようにしてある。この弾性材料は、使用者の重さに起因する衝撃を吸収するとともに、金属棒部材１８を取り去った際の受け入れ部分２０の変形を防止する。この弾性材料は、合成樹脂ベースの材料、ゴム・ベースの材料、金属ベースの材料、または、これらの混合材料で成形することができる。合成樹脂ベースの材料は、ポリカーボネート（ＰＣ）、ポリウレタン（ＰＵ）、ポリ塩化ビニル（ＰＶＣ）、ポリエチレン（ＰＥ）、アクリロニトリロ・ブタジエン・スチレン（ＡＢＳ）、ナイロン、ＴＰＲ、アクリル、および、ＰＥＴＥを含むグループから選ばれる。ゴム・ベースの材料は、天然ゴムおよび合成ゴムを含むグループから選ばれる。金属ベースの材料は、形状記憶合金、チタニウム、バネ鋼、黄銅、アルミニウム、および、これらの合金を含むグループから選ばれる。
【００１４】
図３は、この発明の履物用中底の底面図であり、図４は、図３のＡ−Ａ断面図であり、図５は、図４の丸印付与部Ｂの拡大図で、空気流通の仕組みを説明するものである。
【００１５】
図に示すように、中底ベース１４は、その底面に、履物用中底１０の長手方向に形成された三本の長手方向溝２４と、この長手方向溝２４に交差する横方向に設けられた複数の横方向溝２６を有し、この長手方向溝２４と横方向溝２６の交差点位置に垂直方向に履物用中底を貫通する複数の垂直通路２２が形成されていて、通路２２が形成された各交差点位置には空所Ｓが形成されている。
【００１６】
使用者がこの履物用中底付きの履物を履いて歩くときに、中底ベース１４は、履物が地面に接するときに圧縮され、空所Ｓの体積が減少され、この時に、空所Ｓ内の空気が通路２２を通して使用者の足に向けられる。使用者の履物物が地面を離れるときに、空所Ｓが、中底ベース１４の弾性力により元の形状に復元される。この時の復元力により、垂直通路２２および溝２４，２６を介して空所Ｓに空気が吸入される。
【００１７】
上記プロセスは、使用者が歩いたり走ったりする間、繰り返され、使用者の足を包んでいる履物の換気が良好にされ、使用者に清涼感を与える。即ち、この通気により、使用者の足は乾燥状態に維持され、良好な衛生状態に維持される。
【００１８】
図６は、この発明の第二の実施例の履物用中底の斜視図である。この第二実施例の履物用中底１００は、前記第一実施例の履物用中底１０に類似しているので、ここでは、その相違点についてのみ説明する。
【００１９】
第一実施例の履物用中底１０では、複数の円柱金属棒状部材１８を使用しているのに対して、この第二実施例の履物用中底１００では、一つのＵ−字形をした金属棒状部材１１８を採用している。したがって、その受け入れ部分１２０は、このＵ−字形金属棒状部材１１８を受け入れる形状に設計されている。受け入れ部分１２０は、二つの平行な受け入れ路１２０aを有し、好ましくは、通気用の垂直通路１２２がこの平行な受け入れ路１２０aに連通しないように設けられている。
【００２０】
図７は、この発明の第三の実施例の履物用中底の斜視図である。この第三実施例の履物用中底２００は、前記第一実施例の履物用中底１０と類似しているので、その相異部分のみについて以下に説明する。
【００２１】
第一実施例の履物用中底１０では、複数の円柱金属棒状部材１８を使用しているのに対して、この第三実施例の履物用中底２００では、一つの金属板部材２１８を採用している。したがって、その受け入れ部分２２０は、この金属板部材１１８を受け入れる形状に設計されている。金属板部材２１８は、Ｕ−字形状をした棒状部分２１８ａと、このＵ―字形状棒状部分２１８ａの内面と一体に形成された平坦部２１８ｂを含んでいて、平坦部分２１８ｂには、通気用の垂直通路２２２に連通する複数の穴２１９が設けられている。
【００２２】
金属板部材２１８の形状は、上記に限らず、その全面に亘って平坦に設計することもできる。
【００２３】
図８は、この発明の第四実施例の履物用中底を示す斜視図であり、ここでは、負荷付与部分３００が従来の履物用中底から分離されている。即ち、この実施例の負荷付与部分３００は、従来の履物用中底３０１とは別に製作され、従来の履物用中底３０１に取り付けられるように設計されている。即ち、負荷付与部分３００は、主本体３１０と、主本体３１０の後部位置に取り外し可能に挿入される金属棒部材３１２と、金属棒部材３１４を受け入れる受け入れ部分３１４を有する。主本体３１０の上面に接着剤が塗布され、その上に保護膜３１８が取り付けられて接着剤を不純物から保護している。したがって、使用者は、主本体３１０から保護膜３１８を取り去って、従来の履物用中底３１０にこの負荷付与部分３００を張り付けることができる。履物の製造プロセルで、接着や縫い付け等の手段で負荷付与部分を履物用中底に取り付けることも、勿論、可能である。また、接着剤を使用することなく、負荷付与部分を使用したいときに何時でもこれを履物に入れて使用することもできる。
【００２４】
この実施例では、説明の便宜上、三個の金属棒部材を使用するものを例示しているが、金属棒部材の数は、これに限るものではない。例えば、第一、第二、および、第三の実施例におけるように、五個の金属棒部材、Ｕ−字形金属棒部材、または、金属板部材を使用することもできる。
【００２５】
上記の実施例においては、金属棒部材１８、Ｕ−字形金属棒部材１１８、金属板部材２１８、および、金属棒部材３１２は、全て履物用中底から取り外し可能であるように記載しているが、これらは負荷付与部分または受け入れ部分の穴に挿入した後に、履物用中底の製造過程の成形プロセスで履物用中底または負荷付与部分と一体に成形することもできる。
【００２６】
更に、重量を増加させる部材は、上記実施例に示す金属棒部材１８、Ｕ−字形金属棒部材１１８、金属板部材２１８、および、金属棒部材３１２に限られるものでなく、これらに均等する種々の変更が可能である。また、金属を石材、レンガ、および、コンクリートから選ばれた材料またはこれらの混合で置換することもできる。
【００２７】
図９は、この発明の第一実施例の履物用中底が適用された履物の断面を示す。
【００２８】
第一実施例の履物用中底は、図９に示すように履物内に装着された状態で使用される。この時点で、金属棒部材１8を図示のように履物用中底に挿入することもでき、また、必要な場合には、履物用中底から取り外すこともできる。金属棒部材１８が挿入されているときには、履物１の重さが重くなっているので、使用者は自分の足首にサンド・バッグを取り付けた場合と同様な効果を得ることができる。更に、前記した通りで、履物用中底１０から空気が排出され、使用者の足を爽快にし、乾燥させ、履物を良い衛生状態に維持する。
【産業上の利用可能性】
【００２９】
上記の通りで、この発明の履物用中底を使用する場合、履物の重さが重くされているので、使用者は、サンド・バッグや鉛ジャケットを着用している場合と同様な効果を得ることができ、カロリーの燃焼および運動効果を増大させることができる。
【００３０】
また、歩くときに、空気が履物用中底から排出され、履物の温度および湿度を低下させるので、使用者の足を爽快にするとともに乾燥させ且つ履物を衛生的に維持することができる。
【００３１】
更に、この発明の履物用中底の高さは、従来品のそれよりも高いので、この発明の履物用中底を有する履物を履く使用者の背丈がより高く見える。
【００３２】
更に、履物用中底から金属棒部材を取り外すと、中底の厚さを維持しながら硬質インサートが除去されるので、履物のクッション性が改善されるという効果が得られる。
【図面の簡単な説明】
【００３３】
【図１】発明の第一実施例の履物用中底の斜視図で、金属棒部材の一部が履物用中底に挿入されている状態を示す。
【図２】発明の第一実施例の履物用中底の側面図で、金属棒部材が履物用中底から取り外された状態を示す。
【図３】発明の履物用中底の底面を示す。
【図４】図３のＡ−Ａ断面を示す断面図である。
【図５】図４の丸印部Ｂの拡大図で、空気の流通を説明する図である。
【図６】発明の第二実施例の履物用中底の斜視図で、履物用中底からＵ−字形の金属棒部材が取り外された状態を示す。
【図７】発明の第三実施例の履物用中底の斜視図で、履物用中底から金属板部材が取り外された状態を示す。
【図８】発明の第四実施例の履物用中底の斜視図で、履物用中底から負荷付与部分が取り外された状態を示す。
【図８】発明の第一実施例の履物用中底が適用された履物の断面図である。
【符号の説明】
【００３４】
１…履物
１０，１００，２００…履物用中底
１２…中底本体
１８…挿入部材（金属棒部材）
１１８…挿入部材（Ｕ−字形棒状部材）
２１８…挿入部材（金属板部材）
２０…挿入物の受け入れ部分
Ｈ…挿入物挿入穴
２２…中底本体に設けられた垂直空気通路
２４…中底本体の底面に設けられた長手方向空気路
２６…中底本体の底面に設けられた横方向空気通路
Ｓ…空所
【図１】
2006513735.tif 000003
【図２】
2006513735.tif 000004
【図３】
2006513735.tif 000005
【図４】
2006513735.tif 000006
【図５】
2006513735.tif 000007
【図６】
2006513735.tif 000008
【図７】
2006513735.tif 000009
【図８】
2006513735.tif 000010
【図９】
2006513735.tif 000011
【手続補正書】
【提出日】平成16年10月14日(2004.10.14)
【手続補正１】
【補正対象書類名】特許請求の範囲
【補正対象項目名】全文
【補正方法】変更
【補正の内容】
【特許請求の範囲】
【請求項１】
履物内に取り外し可能に挿入されるライナ本体と、および、このライナ本体の後方部分に装着されていて、このライナ本体を備えた履物を履く使用者に負荷を掛ける負荷付与部分とを有する、使用時に履物内に配置される履物用ライナであって、前記負荷付与部分が、前記ライナ本体の底に平行にライナ本体内に装着される重量材料でなる挿入部材と、および、挿入部材を取り外し可能に受け入れ、挿入部材に作用する衝撃を吸収して使用者の足に軟らかい感触を与えるように弾性材料で形成されている挿入部材受け入れ部分とを有している履物用ライナ。
【請求項２】
前記重量材料が、金属材、石材、レンガ、コンクリートからなるグループから選ばれた材料またはその組み合わせである、前記請求項１に記載の履物用ライナ。
【請求項３】
前記挿入部材が少なくとも一個の円柱棒部材でなる、前記請求項１に記載の履物用ライナ。
【請求項４】
前記挿入部材が、少なくとも一つのＵ−字形棒部材からなる、前記請求項１に記載の履物用ライナ。
【請求項５】
前記挿入部材が、少なくとも一つの板状部材からなる、前記請求項１に記載の履物用ライナ。
【請求項６】
前記板状部材が、中心部分より肉厚の縁部を有している、前記請求項５に記載の履物用ライナ。
【請求項７】
前記負荷付与部分がライナ本体に取り付け可能、または、取り外し可能に設計されている、前記請求項１に記載の履物用ライナ。
【請求項８】
前記負荷付与部分が、ライナ本体と一体に形成されている、前記請求項１に記載の履物用ライナ。
【請求項９】
前記弾性材料が、合成樹脂ベースの材料、ゴム・ベースの材料、金属ベースの材料、または、これらの混合材料から成形できるものであり、前記合成樹脂ベースの材料が、ポリカーボネート（ＰＣ）、ポリウレタン（ＰＵ）、ポリ塩化ビニール（ＰＶＣ）、ポリエチレン（ＰＥ）、アクリロニトリル・ブタジエン・スチレン（ＡＢＳ）、ナイロン、ＴＰＲ、アクリル、および、ＰＥＴＥを含むグループから選ばれるものであり、前記ゴム・ベースの材料は、天然ゴムおよび合成ゴムを含むグループから選ばれるものであり、そして、前記金属ベースの材料は、形状記憶合金、チタニウム、ばね鋼、黄銅、アルミニウム、および、これらの合金を含むグループから選ばれるものである、前記請求項１に記載の履物用ライナ。
【請求項１０】
ライナ本体の底面に長手方向に形成された溝によって画定された少なくとも一つの長手方向空気通路と、ライナ本体の底面に横方向に形成された溝によって画定されていて、前記長手方向空気通路と交差する少なくとも一つの横方向空気通路と、横方向および長手方向空気通路の交差部分を垂直に突き通して形成された少なくとも一つの垂直空気通路と、および、前記交差部分の前記垂直空気通路の回りに形成された空所とを有する、ライナ本体の上面側に空気を排出する空気流通手段を更に有する、前記請求項１および２〜９の何れかに記載の履物用ライナ。
【手続補正書】
【提出日】平成17年2月21日(2005.2.21)
【手続補正１】
【補正対象書類名】明細書
【補正対象項目名】００１２
【補正方法】変更
【補正の内容】
【００１２】
前記各穴Ｈの周囲に金属棒部材１８を取り外し可能に受け入れるための円筒状受け入れ部２０が形成されている。円筒状受け入れ部分２０は、金属棒部材１８の長さと同一またはそれより幾分長い長さを有している。図１および図２には、便宜上、受け入れ部分２０の一部を示すが、受け入れ部分２０は、好ましくは、中底本体１２を横方向に貫いて設けられる。受け入れ部分２０は、中底本体１２を横方向に貫いて形成され、金属棒部材１８がこの受け入れ部分２０の長さと実質的に同じ長さを有しているので、金属棒部材１８の受け入れ部分２０への挿入および受け入れ部分２０からの取り外しを容易にすることができる。即ち、金属棒部材１８は、単に押し込むことで、受け入れ部分２０に完全に挿入することができ、また、図１に示すようにその一部が受け入れ部分２０が露出するように金属棒１８の一方端を押し、金属棒１８の露出した部分を引っ張って、金属棒部材を受け入れ部分２０から完全に取り去ることができる。
【手続補正２】
【補正対象書類名】明細書
【補正対象項目名】００２１
【補正方法】変更
【補正の内容】
【００２１】
第一実施例の履物用中底１０では、複数の円柱金属棒状部材１８を使用しているのに対して、この第三実施例の履物用中底２００では、一つの金属板部材２１８を採用している。したがって、その受け入れ部分２２０は、この金属板部材１１８を受け入れる形状に設計されている。金属板部材２１８は、Ｕ−字形状をした棒状部分２１８ａと、このＵ―字形状棒状部分２１８ａの内面と一体に形成された平坦部２１８ｂを含んでいて、平坦部分２１８ｂには、通気用の垂直通路に連通する複数の穴２１９が設けられている。
【手続補正３】
【補正対象書類名】明細書
【補正対象項目名】００２３
【補正方法】変更
【補正の内容】
【００２３】
図８は、この発明の第四実施例の履物用中底を示す斜視図であり、ここでは、負荷付与部分３００が従来の履物用中底から分離されている。即ち、この実施例の負荷付与部分３００は、従来の履物用中底３０１とは別に製作され、従来の履物用中底３０１に取り付けられるように設計されている。即ち、負荷付与部分３００は、主本体３１０と、主本体３１０の後部位置に取り外し可能に挿入される金属棒部材３１２と、金属棒部材３１２を受け入れる受け入れ部分３１４を有する。主本体３１０の上面に接着剤が塗布され、その上に保護膜３１８が取り付けられて接着剤を不純物から保護している。したがって、使用者は、主本体３１０から保護膜３１８を取り去って、従来の履物用中底３１０にこの負荷付与部分３００を張り付けることができる。履物の製造プロセルで、接着や縫い付け等の手段で負荷付与部分を履物用中底に取り付けることも、勿論、可能である。また、接着剤を使用することなく、負荷付与部分を使用したいときに何時でもこれを履物に入れて使用することもできる。
【手続補正４】
【補正対象書類名】明細書
【補正対象項目名】００３３
【補正方法】変更
【補正の内容】
【００３３】
【図１】発明の第一実施例の履物用中底の斜視図で、金属棒部材の一部が履物用中底に挿入されている状態を示す。
【図２】発明の第一実施例の履物用中底の側面図で、金属棒部材が履物用中底から取り外された状態を示す。
【図３】発明の履物用中底の底面を示す。
【図４】図３のＡ−Ａ断面を示す断面図である。
【図５】図４の丸印部Ｂの拡大図で、空気の流通を説明する図である。
【図６】発明の第二実施例の履物用中底の斜視図で、履物用中底からＵ−字形の金属棒部材が取り外された状態を示す。
【図７】発明の第三実施例の履物用中底の斜視図で、履物用中底から金属板部材が取り外された状態を示す。
【図８】発明の第四実施例の履物用中底の斜視図で、履物用中底から負荷付与部分が取り外された状態を示す。
【図９】発明の第一実施例の履物用中底が適用された履物の断面図である。
【国際調査報告】
2006513735.tif 000012